(57)【要約】【課題】簡易な構造でもって高いシール性を有するヒンジキャップを提案する。【解決手段】容器（１）内の内容物を注出する注出口（２ａ）を有し容器（１）の口部（１ａ）に装着されるキャップ本体（２）と、キャップ本体（２）の注出口（２ａ）に嵌入して該注出口（２ａ）を閉塞させる栓体（３）を有し該キャップ本体（２）にヒンジ（ｈ）を介して揺動可能に連結、保持される蓋体（４）とを備えたヒンジキャップにおいて、前記蓋体（４）に、該蓋体（４）を局所的に反転させてキャップ本体（２）の注出口（２ａ）に嵌入させた栓体（５）を該注出口（２ａ）のさらに奥へと押し込む反転壁部（６）を設け、前記注出口（２ａ）に、その側壁に容器（１）の底部に向けて段下がりをなす環状の段差部（３）を形成し、前記栓体（５）に、蓋体（４）の局所的な反転によるさらなる押し込みにて該段差部（３）に離脱可能に係合してより高いシール性を保持する環状突起（５ａ）あるいは間隔を開けて断続的に配列された突起を形成する。【選択図】図１
2006176187.tif 000002
【特許請求の範囲】
【請求項１】
容器内の内容物を注出する注出口を有し容器の口部に装着されるキャップ本体と、キャップ本体の注出口に嵌入して該注出口を閉塞させる栓体を有し該キャップ本体にヒンジを介して開閉可能に連結される蓋体とを備えたヒンジキャップであって、
前記蓋体に、該蓋体を局所的に反転させてキャップ本体の注出口に嵌入させた栓体を該注出口のさらに奥へと押し込む反転壁部を設け、
前記注出口に、その側壁に容器の内側に向けて段下がりをなす環状の段差部を形成し、
前記栓体に、蓋体の局所的な反転によるさらなる押し込みにて該段差部に離脱可能に係合してより高いシール性を保持する環状突起または間隔をおいて断続的に配列された突起を形成してなることを特徴とするヒンジキャップ。
【請求項２】
前記反転壁部による蓋体の局所的な反転が、薄肉部によるものである請求項１記載のヒンジキャップ。
【発明の詳細な説明】
【技術分野】
【０００１】
本発明は、ヒンジキャップに関するものであり、とくに商品の流通段階でのキャップの開放に起因した内容物の漏洩を確実に防止しようとするものである。
【背景技術】
【０００２】
容器の口部に装着されるキャップ本体と、このキャップ本体に合わさりヒンジを介して揺動可能に連結される蓋体とを備えた、いわゆるヒンジキャップは、片手によって蓋体を簡単に開閉できる利点があり、また、蓋体の紛失を防止できることから、調味料用の容器や薬品用の容器、シャンプー、リンスを入れる容器等幅広い分野において利用されている。
【０００３】
ところで、ヒンジキャップ付きの容器は、不正な開封がなされやすく、また、商品の流通段階で所期しない衝撃力が負荷された場合に蓋体が開放して内容物が漏洩する等の不具合がしばしば見受けられることから、流通時の液漏れを防止する目的で注出口と栓体との嵌合力を強めに設定する改良が加えられてきているが、このような改良は、使用時におけるキャップの開放に際して蓋体を開け難くし、蓋体を開けることができてもその感触としては非常に固く取り付けられているように感じる等の不具合を生じさせる原因になっていた。そこで、近年、この種のキャップには開封時に引きちぎりによって離脱させるバージンチップが付設されるようになってきている（例えば特許文献１参照）。
【特許文献１】特開平９−１２０５４号公報
【０００４】
バージンチップを備えた従来のヒンジキャップは、バージンチップの脱落の有無が一目で確認できるので、とくに、不正な開封がなされたかどうかを確実に判断できる有用な手段であるとされていた。
【０００５】
しかしながら、かかるヒンジキャップにあっても、容器の流通段階でキャップに所期しない大きな衝撃が加えられた場合にバージンチップが連結部分から破断して蓋体あるいは栓体によるシールが保てなくなり内容物が漏洩するおそれもあって、未だ多少の改善の余地が残されていた。
【発明の開示】
【発明が解決しようとする課題】
【０００６】
本発明の課題は、容器の開封前における衝撃が加えられるようなことがあっても蓋体が簡単に開いて内容物が漏れ出ることがなく、かつ、使用時には安定したシールを維持することができる使用感に優れた新規なヒンジキャップを提案するところにある。
【課題を解決するための手段】
【０００７】
本発明は、容器内の内容物を注出する注出口を有し容器の口部に装着されるキャップ本体と、キャップ本体の注出口に嵌入して該注出口を閉塞させる栓体を有し該キャップ本体にヒンジを介して揺動可能に連結、保持される蓋体とを備えたヒンジキャップであって、
前記蓋体に、該蓋体を局所的に反転させてキャップ本体の注出口に嵌入させた栓体を該注出口のさらに奥へと押し込む反転壁部を設け、
前記注出口に、その側壁に容器の内側に向けて段下がりをなす環状の段差部を形成し、
前記栓体に、蓋体の局所的な反転によるさらなる押し込みにて該段差部に離脱可能に係合してより高いシール性を保持する環状突起または間隔をおいて断続的に配列された突起を形成してなる、ことを特徴とするヒンジキャップである。
【０００８】
前記反転壁部による蓋体の局所的な反転は、薄肉部を利用して行うことができる。
【発明の効果】
【０００９】
蓋体をキャップ本体に合せた閉状態では、蓋体の裏面に設けられた栓体がキャップ本体の注出口に嵌入して該注出口は閉塞されるが、蓋体を局所的に反転させて栓体を注出口のさらに奥へと押し込むことで該栓体の嵌入代が大きくなる。
【００１０】
そして、蓋体の局所的な反転による栓体のさらなる押し込みにて注出口の側壁に容器の内側に向けて段下がりをなす環状の段差部に栓体の環状突起が係合すると、この係合部位でのシール性が高まるため、商品の流通段階で衝撃が加えられても蓋体が簡単に開くことはない。
【００１１】
さらに、一度開封された後においては、蓋体を閉じた状態で注出口は栓体及び栓体の突起が密に接してシールされることになることから、安定したシール状態に保たれるとともに、栓体は注出口に対して圧入嵌め状態で係合するので蓋体の容易な開放も可能となる。
【発明を実施するための最良の形態】
【００１２】
以下、図面を用いて本発明をより具体的に説明する。
図１は本発明にしたがうヒンジキャップの実施の形態をその断面について示した図である。
【００１３】
図における１は内容物を充填する容器、２は容器１の口部１ａにねじあるいはアンダーカット係合によって装着されるキャップ本体（図示の例はねじによる装着を表示する）であって、このキャップ本体２は容器１内の内容物を注出する円筒状の注出口２ａを有している。
【００１４】
また、３はキャップ本体２の注出口２ａの側壁に設けられたシール用の段差部である。この段差部３はその要部を図２に示すように、注出口２ａ上方の内側面テーパー部の下方で容器１の内側に向けて段下がりをなした形状になっている。
【００１５】
また、４はキャップ本体２にヒンジｈを介して開閉可能に連結される蓋体、５は蓋体４の裏面に一体的に形成された栓体である。この栓体５は蓋体４を閉じるときにキャップ本体２の注出口２ａに嵌入して該注出口２ａを閉塞させるもので、その先端部近傍域には栓体５の軸芯の周りに沿う向きの環状突起５ａが設けられているとともにその中心部が下方に向けて開口する中空筒部として形成されている（図２参照）。
【００１６】
さらに、６は栓体５が設けられた部位を含めて蓋体４を局所的に反転させることができる反転壁部である。この反転壁部６は薄肉部６ａによって支持されており、蓋体４を開放した状態でヒンジキャップを成形した後、蓋体４を閉じて、さらに該反転壁部６を下方に向けて押し込み図１に示すように反転させて容器を密封することができるもので、栓体５は注出口２ａのさらに奥へと押し込まれその先端部近傍域に設けられた環状突起５ａが注出口２ａの側壁に設けられた段差部３に係合する。
【００１７】
容器を開封する前の段階（商品の流通段階）で反転壁部６を反転させておくとキャップのシール性が高まり所期しない衝撃によって蓋体４が簡単に開くことはない。
【００１８】
図３は容器を一端開封した後、再度蓋体４を閉じた状態を示したものであって、使用時には同状態を維持したまま蓋体として使用される。この場合、栓体５は注出口２ａに嵌入するのみで、これによってもある程度の安定したシール性は保たれる。蓋体４を開けるに際しては前述の如く、栓体５が注出口２ａに対して圧入嵌めになっているため蓋体４の容易な開放が可能となる。開封後の保管に際して強固なシールが望まれる場合には、蓋体４を閉じるに当たり反転壁部６を反転させて再シールすることもできる。蓋体４を閉じるに際して反転壁部６を反転させて再シールしておけば、幼児の力では開け難いヒンジキャップとなりチャイルドプルーフ機能を有するヒンジキャップとしても利用することも可能となる。
【００１９】
反転壁部６は薄肉部６ａを設けて反転させる場合について例示したが、シール性を損なったり構成部材の増加を伴うことなしに反転させることができるものであれば他の手段を適用することが可能であり、薄肉部６ａを反転手段とする場合にのみ限定はされない。
【００２０】
突起５ａは環状突起を適用する場合について例示したが、注出口２ａに対して栓体５の圧入嵌めのみで確実にシールすることが可能であるならば、環状突起５ａを栓体５の回りに間隔を開けて断続的に配列した突起（または突条）に代えて構成することができ、この場合、該突起５ａ自体にシール機能をもたせる必要はない。
【００２１】
また、本発明にしたがうヒンジキャップは図示はしないが、商品の流通段階での不正な開封を防止する観点からキャップを開封する際に引きちぎることができるバージンチップを設けることもできる。
【産業上の利用可能性】
【００２２】
簡単な仕組みでもって高いシール性を維持でき、使用時においては安定したシールを保つことができるとともに使用感の良好なヒンジキャップが提供できる。
【図面の簡単な説明】
【００２３】
【図１】本発明にしたがうヒンジキャップの実施の形態を示した断面図である。
【図２】図１の要部を示した図である。
【図３】図１に示したヒンジキャップにつき開封後の状態を示した断面図である。
【符号の説明】
【００２４】
１  容器
１ａ  口部
２  キャップ本体
２ａ  注出口
３  段差部
４  蓋体
５  栓体
５ａ  環状突起
６  反転壁部
６ａ  薄肉部
【図１】
2006176187.tif 000003
【図２】
2006176187.tif 000004
【図３】
2006176187.tif 000005